(57)【要約】【課題】身体に対してプロポリスを直接的に作用させることにより、花粉症の改善が期待できる、プロポリスの利用器具を提供する。【解決手段】本考案のプロポリス液噴霧器１は、プロポリスを含有する液体であるプロポリス液３０と、プロポリス液３０を収容した容器本体２と、容器本体２の開口部３に取付け可能な噴霧部５と、容器本体２の内部に収容され、一方の端部が噴霧部５に連結されると共に、他方の端部が容器本体２の底部付近に至る管状部材７とを具備し、噴霧部５は、鼻腔に挿入可能に形成されたノズル２５、及び、ノズル２５の先端に設けられ少なくとも鼻の粘膜にプロポリス液３０を噴霧可能な噴霧口２６を有する。【選択図】図１
0003112243.tif 000002
【実用新案登録請求の範囲】
【請求項１】
プロポリスを含有する液体であるプロポリス液と、
該プロポリス液を収容した容器本体と、
該容器本体の開口部に取付け可能な噴霧部と、
前記容器本体の内部に収容され、一方の端部が前記噴霧部に連結されると共に、他方の端部が前記容器本体の底部付近に至る管状部材と、
を具備し、
前記噴霧部は、鼻腔に挿入可能に形成されたノズル、及び、該ノズルの先端に設けられ少なくとも鼻の粘膜に前記プロポリス液を噴霧可能な噴霧口を有する
ことを特徴とするプロポリス液噴霧器。
【請求項２】
前記プロポリス液は、プロポリスを９５度以上のエチルアルコールで抽出した原液を３〜５倍に希釈した水溶液であることを特徴とする請求項１に記載のプロポリス液噴霧器。
【考案の詳細な説明】
【技術分野】
【０００１】
本考案は、プロポリスに関するものであり、特に、花粉症の改善に対してプロポリスを利用する器具に関するものである。
【背景技術】
【０００２】
従来より、プロポリスは様々な慢性疾患に効果があるとして、民間療法に利用されて来た。ここで、プロポリスとは、蜜蜂が採取した樹液、樹脂、植物の新芽等に、蜜蜂自らが分泌する唾液を混合して生成された物質であり、蜜蜂はこれを巣の出入口や巣箱の隙間に塗り付けることにより、外部からの細菌等の侵入を防ぎ、巣の内部や自らの体を無菌状態に保持していると言われている。そして、このプロポリスには、強い抗菌作用があることから、胃炎、胃腸潰瘍、肝炎などの細菌性、ウィルス性の疾患や、アトピー性皮膚炎、水虫などの皮膚、粘膜の疾患に効果があるとされ、また、鎮痛作用や抗炎作用があることから、火傷、切り傷、歯痛、口内炎などにも効果があると言われている。更に、各種のフラボノイド、ビタミン類、ミネラル類、アミノ酸等を豊富に含むことから、自然食品、健康補助食品として摂取する人も多い。
【０００３】
加えて、花粉症にも効果があると言われ、近年では花粉症に悩む人が増加していることもあり、その効果が着目されている。この花粉症は、身体に侵入した異物を排除するために備わっている免疫機能が、本来は無害である花粉に異常反応してしまうアレルギー反応の一種であり、体内の抗体と花粉に含まれる抗原が肥満細胞の表面で反応することにより、ヒスタミン等の刺激性の化学伝達物質が肥満細胞から放出され、その結果として、くしゃみ、鼻水、目のかゆみや充血などの症状が現れるものである。
【考案の開示】
【考案が解決しようとする課題】
【０００４】
しかしながら、従来のプロポリスの摂取は、プロポリスの抽出液、或いは顆粒やカプセル状に加工されたものを経口摂取することにより行われていた。従って、長期間にわたり継続的に摂取しないと、花粉症を改善する効果が期待できなかった。そのため、花粉症の症状に対して、より直接的にプロポリスを利用可能な器具が望まれていた。
【０００５】
そこで、本考案は上記の実情に鑑み、身体に対してプロポリスを直接的に作用させることにより、花粉症の改善が期待できる、プロポリスの利用器具を提供することを課題とするものである。
【課題を解決するための手段】
【０００６】
本考案に係るプロポリス液噴霧器は、「プロポリスを含有する液体であるプロポリス液と、該プロポリス液を収容した容器本体と、該容器本体の開口部に取付け可能な噴霧部と、前記容器本体の内部に収容され、一方の端部が前記噴霧部に連結されると共に、他方の端部が前記容器本体の底部付近に至る管状部材と、を具備し、前記噴霧部は、鼻腔に挿入可能に形成されたノズル、及び、該ノズルの先端に設けられ少なくとも鼻の粘膜に前記プロポリス液を噴霧可能な噴霧口を有する」ことを主な特徴として構成されている。
【０００７】
ここで、プロポリス液は、プロポリス原塊からプロポリスの有効成分をアルコール抽出法、水抽出法、グリセリンを使用したミセル化抽出法等により抽出した液体を使用することができる。また、抽出原液を適宜希釈して用いることもできる。
【０００８】
また、容器本体、噴霧部、管状部材、ノズル、及び噴霧口の構成は、プロポリス液を鼻粘膜に対して噴霧可能なものであれば特に限定されない。例えば、容器本体が弾性変形可能な素材によって形成され、容器を押圧することによりノズルにプロポリス液が供給されるもの、噴霧部がピストン状の部材を有し、ポンプ作用によってノズルにプロポリス液が吸引されるもの、圧縮ガス等の圧力によってプロポリス液を噴出させるエアゾール・タイプのものを挙げることができる。
【０００９】
ここで、ノズルは、鼻腔に挿入可能とするため、その周長は鼻腔より小さく形成される。また、鼻腔に挿入しやすいように、ノズル自体を傾斜させたり、湾曲させて形成することもでき、鼻腔に当たった際の感触をソフトにするために、合成ゴム等の弾性を有する素材で形成することもできる。更に、噴霧口の形状や大きさにより、一度に噴霧されるプロポリス液の量や液滴の大きさ等を調整することもできる。
【００１０】
従って、本考案によれば、容器本体に収容されたプロポリス液を容器外に噴霧することができる。そして、ノズルを鼻腔に挿入してから噴霧することにより、鼻の粘膜にプロポリス液を噴霧することが可能となる。
【００１１】
これにより、噴霧されたプロポリス液は、プロポリスに含まれる蜜蝋や樹脂等の成分により、鼻の粘膜の表面上に膜を形成し、これが保護膜となって粘膜への花粉の侵入をブロックする効果が期待される。また、プロポリスの有する抗菌作用、鎮痛作用、抗炎作用により、花粉症のため生じた鼻粘膜の炎症を鎮静し、痛みやかゆみを和らげる効果が期待される。
【００１２】
また、本考案に係るプロポリス液噴霧器は、上記構成に加え、「前記プロポリス液は、プロポリスを９５度以上のエチルアルコールで抽出した原液を３〜５倍に希釈した水溶液である」ものとすることができる。
【００１３】
ここで、９５度以上のエチルアルコールとは、１５℃におけるエチルアルコールの容量百分率が９５％以上のものであり、高純度の品質が要求される食品等に対しても使用可能なものである。
【００１４】
また、アルコール抽出法は、プロポリス原塊をアルコール中で所定期間攪拌して有効成分を抽出し、その後濾過してプロポリス液とするものである。プロポリス原塊の８０％以上が水溶性ではないため、他の抽出方法に比べて、フラボノイド等の有効成分を効率良く抽出することができる利点を有する抽出方法である。加えて、アルコール自体に殺菌作用があるため、プロポリス原塊に含まれる雑菌やハチ毒を殺菌することが可能であり、抽出後のプロポリス液の保存中の細菌類の繁殖も防止できるため、保存料等の添加を抑制できる利点も有する。
【００１５】
このエチルアルコールによる抽出後の原液をそのまま噴霧した場合は、鼻粘膜に対してアルコールによる刺激が強すぎる場合もあるため、希釈して使用することができる。しかしながら、希釈しすぎると、鼻の粘膜の表面上に膜が形成されず、花粉症を改善する効果が期待できない。そこで、試行を繰り返した結果、３〜５倍に希釈することが適当であることが知見された。
【００１６】
従って、本考案によれば、アルコール抽出法によりプロポリスの有効成分が効率良く抽出されたプロポリス液が使用されるため、花粉症を改善する効果をより期待できるものとなる。また、鼻の粘膜に刺激を与えず、且つ、鼻の粘膜の表面上にプロポリスの膜を形成することが可能な濃度でプロポリス液を使用するため、使用感が良好であると共に花粉症を改善する効果が期待できるものとなる。
【考案の効果】
【００１７】
以上のように、本考案のプロポリス液噴霧器によれば、プロポリスを含有するプロポリス液を、経口によらず鼻腔内に直接噴霧して、鼻の粘膜の表面にプロポリスの膜を形成することが可能となり、花粉症の改善効果が期待できる。
【考案を実施するための最良の形態】
【００１８】
以下、本考案の実施するための最良の一実施形態であるプロポリス液噴霧器について、図１及び図２に基づいて説明する。図１は本考案のプロポリス液噴霧器の一例を示す分解斜視図であり、図２は図１のプロポリス液噴霧器の使用状態を示す説明図である。
【００１９】
本実施形態のプロポリス液噴霧器１は、図１に示されるように、容器本体２と、容器本体２の開口部３に取付け可能な噴霧部５と、容器本体２の内部に収容され、一方の端部が噴霧部５に連結されると共に、他方の端部が容器本体２の底部付近に至る管状部材７とを主に具備して構成されている。
【００２０】
さらに詳しく説明すると、容器本体２は略円柱状に形成され、開口部３の外周には、後述の噴霧部５の雌螺子部４ｂと螺合可能な雄螺子部４ａが形成されている。そして、この容器本体２に、プロポリス液３０を収容することができ、本実施例では、９５．６度のエチルアルコールで抽出したプロポリスの原液を、水で３倍に希釈したプロポリス液３０が収容されている。
【００２１】
また、噴霧部５は、吸引部１０と操作部２０に大別される。まず、吸引部１０は、底部の内周面に容器本体２の雄螺子部４ａと螺合可能な雌螺子部４ｂが形成され、上方に開口した外筒１１と、外筒１１と同軸で上端が閉じた内筒１２、内筒１２と同軸で内筒１２を貫通するピストン部１５、及び、容器本体２からプロポリス液３０を吸引するポンプ部（図示しない）を主に具備して構成されている。
【００２２】
ここで、内筒１２は、その外周面と外筒１１の内周面との間に間隙を形成するように、雌螺子部４ｂの上部において外筒１１と一体的に接続されている。また、ピストン部１５は、その上端から下端まで連通するピストン孔１５ａを有する管状であり、内筒１２内を軸方向に往復動可能に形成され、下端はポンプ部の上端と接続されている。更に、管状部材７の一端はポンプ部の下端と接続され、他方の端部は容器本体２の底部付近まで至る状態でプロポリス液３０に浸漬している。かかる構成により、ピストン部１５が内筒１２内を往復動することにより、ポンプ部内の内容積が変化し、容器本体２に収容されたプロポリス液３０が管状部材７によって吸引され、ピストン孔１５ａへ送られる。そして、ピストン部１５はバネ（図示しない）の作用により常に内筒１２の上面に向かって付勢されているため、押下げによる往復動を繰り返すことができる。
【００２３】
一方、操作部２０は、吸引部１０と別体に形成され、操作部外筒２１、操作部内筒２２、突縁部２３、及びノズル２５を主に具備して構成されている。ここで、操作部外筒２１は、その径が吸引部の外筒１１より小径であると共に内筒１２より大径に形成され、外筒１１及び内筒１２によって形成される間隙に挿入可能とされている。また、操作部内筒２２は、その径がピストン部１５の径より僅かに大きく形成されている。そして、外筒１１の径より大径の円板状の突縁部２３の下面に、操作部外筒２１及び操作部内筒２２が同軸かつ一体的に接続されている。更に、突縁部２３の上面にはノズル２５が突設され、その先端に設けられた噴霧口２６から突縁部２３まで連通するノズル孔２５ａは、突縁部２３の下面の操作部内筒２２内においてノズル孔開端２５ｂで開口している。また、ノズル２５において、突縁部２３に近い部分は不連続に拡径してストッパ部２７が形成されている。このストッパ部２７は、その径が鼻腔の径より大径に形成され、ノズル２５の挿入し過ぎにより、その先端部によって鼻の粘膜を傷つけることを防止するためのものである。
【００２４】
かかる構成により、ピストン部１５の上端を操作部内筒２２に嵌挿し、突縁部２３を押下げることにより、ピストン部１５が押下げられる。このとき、操作部外筒２１の底部が外筒１１及び内筒１２の間の間隙に挿入可能であることにより、バネの付勢力に抗して突縁部２３を押下げることが可能となる。
【００２５】
次に、本実施形態のプロポリス液噴霧器１の使用方法について、図２を用いて説明する。まず、プロポリスのエチルアルコール抽出液を３倍に希釈したプロポリス液３０が容器本体２に収容されたプロポリス液噴霧器１を手に持ち、ノズル２５の噴霧口２６を上方に向けた状態で、ノズル２５を鼻腔に下から挿入する。
【００２６】
そして、この状態で突縁部２３を押下げることにより、プロポリス液３０が鼻の奥の粘膜に向けて噴霧される。すなわち、突縁部２３の押下げにより、突縁部２３の下面において操作部内筒２２に嵌挿されたピストン部１５の上面が押下げられ、ポンプ部の作用により管状部材７によって吸引されたプロポリス液３０が、ピストン部１５のピストン孔１５ａ、ノズル２５のノズル孔２５ａを経て、ノズル２５の先端の噴霧口２６から噴霧される。このとき、例えば、親指を容器本体２の底部に、人差し指や中指等の他の指を突縁部２３の上面に添えて噴霧器１を挟持することにより、容易に突縁部２３を押下げることができる。
【００２７】
この操作を所望の回数繰り返すことにより、プロポリスに含まれる蜜蝋や樹脂等の成分の作用によって、鼻の粘膜の表面にプロポリス膜が形成される。そして、このプロポリス膜が保護膜となって、花粉が鼻から吸引されたとしても、鼻粘膜から花粉が侵入することが防止される。これにより、マスクをかけなくても鼻粘膜への花粉の侵入を防止することが可能となる。また、マスクとの併用により、より確実に花粉症を予防することができる。また、プロポリスの有する抗菌作用、鎮痛作用、抗炎作用により、花粉症によって引き起こされる鼻粘膜の炎症が鎮静され、痛みやかゆみが和らげられる効果が期待される。
【００２８】
実際に、当社従業員等のうち、花粉症の症状がある３０人が、本考案のプロポリス液噴霧器１を試用したところ、７割以上の２２人について、鼻の通りが良くなり鼻づまりによる不快感がなくなった、くしゃみの回数が減った、鼻をかむ時の痛みがなくなった等の効果が報告された。そして、この効果は、プロポリス液３０を噴霧してから極めて短時間（数分から十数分後）で実感できるものであった。また、一度噴霧すれば、その後２〜３日は、花粉症の症状が軽減されたと実感できるものであった。
【００２９】
更に、本考案のプロポリス液噴霧器１により、鼻の粘膜以外にもプロポリス液３０を噴霧することができる。例えば、マスクにプロポリス液３０を噴霧することにより、呼吸と共にプロポリスの有効成分が体内に取り込まれ、プロポリス液３０を噴霧しないマスクをかける場合よりも、花粉症を改善する効果が期待できる。また、ハンカチや衣服の襟等に噴霧することもできる。
【００３０】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３１】
例えば、本実施形態では、ポンプ作用を利用したプロポリス液噴霧器を示したが、容器本体からプロポリス液が管状部材によって吸引され、ノズルの噴霧口から噴霧される構成は、本実施例の構成によるものに限定されない。例えば、容器本体の開口部に噴霧口を有するノズルを直接取付け、容器本体を弾性変形可能な素材で形成することにより、手で容器本体を押圧して容器本体内の容積を変化させて、管状部材からノズルにプロポリス液を送出し、噴霧するものとすることもできる。
【図面の簡単な説明】
【００３２】
【図１】本考案のプロポリス液噴霧器の一例を示す分解斜視図である。
【図２】図１のプロポリス液噴霧器の使用状態を示す説明図である。
【符号の説明】
【００３３】
１  プロポリス液噴霧器
２  容器本体
３  開口部
５  噴霧部
７  管状部材
２５  ノズル
２６  噴霧口
３０  プロポリス液
【図１】
0003112243.tif 000003
【図２】
0003112243.tif 000004